【手続補正書】
【提出日】平成26年3月4日(2014.3.4)
【手続補正１】
【補正対象書類名】特許請求の範囲
【補正対象項目名】全文
【補正方法】変更
【補正の内容】
【特許請求の範囲】
【請求項１】
パン角度の変更により撮像範囲が移動する移動方向がチルト角度により異なる撮像装置により得られた画像データに応じた画像の表示を制御する表示制御装置であって、
前記撮像装置により得られた画像データと、前記撮像装置のチルト角度に関する情報を受信する受信手段と、
前記受信した画像データに応じた画像を表示させると共に、前記パン角度の変更により撮像範囲が移動する移動方向を示すパンガイドを、前記撮像装置のチルト角度に関する情報に基づいて、前記画像上に表示させる表示制御手段と、
前記チルト角度の変更コマンドを前記撮像装置へ送信する送信手段と、
前記チルト角度の変更コマンドの送信時に、前記チルト角度の変更コマンドに対する応答を前記撮像装置から受信するよりも前に、前記パンガイドの表示を更新する更新手段とを有することを特徴とする表示制御装置。
【請求項２】
前記表示制御手段は、前記チルト角度の変更により撮像範囲が移動する移動方向に関するチルトガイドを前記画像上に表示させ、
前記送信手段は、前記撮像装置の撮像範囲の回転角度を変更する回転角度変更コマンドを前記撮像装置へ送信し、
前記更新手段は、前記回転角度変更コマンドの送信時に、前記回転角度変更コマンドに対する応答を前記撮像装置から受信するよりも前に、前記チルトガイドの表示を基づいて更新することを特徴とする請求項１に記載の表示制御装置。
【請求項３】
前記更新手段により更新されたパンガイドを、前記送信した変更コマンドに応じた変更後のチルト角度の受信に応じて修正する修正手段を有することを特徴とする請求項１に記載の表示制御装置。
【請求項４】
前記更新手段は、前記チルト角度の変更を開始させるための変更コマンドを送信してから当該変更を終了させるための終了コマンドを送信せずに所定時間が経過すると、チルト角度が第１の角度、変更されたチルト角度に対応するパンガイドに表示を更新し、当該更新後、前記終了コマンドを送信せずにさらに前記所定時間が経過すると、チルト角度が前記第１の角度よりも大きい第２の角度、さらに変更されたチルト角度に対応するパンガイドに表示を更新することを特徴とする請求項１に記載の表示制御装置。
【請求項５】
前記撮像装置のタイプ情報を取得する取得手段を有し、
前記更新手段は、前記チルト角度の変更を開始させるための変更コマンドを送信してから当該変更を終了させるための終了コマンドを送信せずに所定時間が経過した場合の更新後のパンガイドの形状を、前記取得されたタイプ情報に基づいて決定することを特徴とする請求項１に記載の表示制御装置。
【請求項６】
前記更新手段は、前記チルト角度の変更を開始させるための変更コマンドを送信してから当該変更を終了させるための終了コマンドを送信せずに所定時間が経過するごとに、所定角度、変更されたチルト角度に対応するパンガイドに表示を更新することを特徴とする請求項１に記載の表示制御装置。
【請求項７】
前記表示制御手段は、前記更新手段により更新されたパンガイドと、前記更新前のパンガイドとの色及び線種の少なくともいずれかが異なるように、前記更新されたパンガイドを表示させることを特徴とする請求項１乃至６のうち、いずれか１項に記載の表示制御装置。
【請求項８】
前記表示制御手段は、前記更新手段により更新されたパンガイドと、前記更新前のパンガイドとを同時に識別可能に表示させることを特徴とする請求項１乃至７のうち、いずれか１項に記載の表示制御装置。
【請求項９】
パン角度の変更により撮像範囲が移動する移動方向がチルト角度により異なる撮像装置により得られた画像データに応じた画像の表示を制御する表示制御装置が行う表示制御方法であって、
前記撮像装置により得られた画像データと、前記撮像装置のチルト角に関する情報を受信する受信工程と、
前記受信した画像データに応じた画像を表示させると共に、前記パン角度の変更により撮像範囲が移動する移動方向を示すパンガイドを、前記撮像装置のチルト角度に関する情報に基づいて、前記画像上に表示させる表示制御工程と、
前記チルト角度の変更コマンドを前記撮像装置へ送信する送信工程と、
前記チルト角度の変更コマンドの送信時に、前記チルト角度の変更コマンドに対する応答を前記撮像装置から受信するよりも前に、前記パンガイドの表示を更新する更新工程とを有することを特徴とする表示制御方法。
【請求項１０】
前記表示制御工程では、前記チルト角度の変更により撮像範囲が移動する移動方向に関するチルトガイドを前記画像上に表示させ、
前記送信工程では、前記撮像装置の撮像範囲の回転角度を変更する回転角度変更コマンドを前記撮像装置へ送信し、
前記更新工程では、前記回転角度変更コマンドの送信時に、前記回転角度変更コマンドに対する応答を前記撮像装置から受信するよりも前に、前記チルトガイドの表示を基づいて更新することを特徴とする請求項９に記載の表示制御方法。
【請求項１１】
前記更新工程で更新されたパンガイドを、前記送信した変更コマンドに応じた変更後のチルト角度の受信に応じて修正する修正工程を有することを特徴とする請求項９に記載の表示制御方法。
【請求項１２】
パン角度の変更により撮像範囲が移動する移動方向がチルト角度により異なる撮像装置により得られた画像データに応じた画像の表示を制御するコンピュータに、
前記撮像装置により得られた画像データと、前記撮像装置のチルト角度に関する情報を受信する受信手順と、
前記受信した画像データに応じた画像を表示させると共に、前記パン角度の変更により撮像範囲が移動する移動方向を示すパンガイドを、前記撮像装置のチルト角度に関する情報に基づいて、前記画像上に表示させる表示制御手順と、
前記チルト角度の変更コマンドを前記撮像装置へ送信する送信手順と、
前記チルト角度の変更コマンドの送信時に、前記チルト角度の変更コマンドに対する応答を前記撮像装置から受信するよりも前に、前記パンガイドの表示を更新手順とを実行させることを特徴とするプログラム。
【請求項１３】
前記表示制御手順は、前記チルト角度の変更により撮像範囲が移動する移動方向に関するチルトガイドを前記画像上に表示させ、
前記送信手順は、前記撮像装置の撮像範囲の回転角度を変更する回転角度変更コマンドを前記撮像装置へ送信し、
前記更新手順は、前記回転角度変更コマンドの送信時に、前記回転角度変更コマンドに対する応答を前記撮像装置から受信するよりも前に、前記チルトガイドの表示を基づいて更新することを特徴とする請求項１２に記載のプログラム。
【請求項１４】
前記更新手順により更新されたパンガイドを、前記送信した変更コマンドに応じた変更後のチルト角度の受信に応じて修正する修正手順をコンピュータに実行させることを特徴とする請求項１２に記載のプログラム。
【請求項１５】
パン角度の変更により撮像範囲が移動する移動方向がチルト角度により異なる撮像装置と、撮像装置により得られた画像データに応じた画像の表示を制御する表示制御装置とが接続されたカメラシステムであって、
前記撮像装置により得られた画像データと、前記撮像装置のチルト角度に関する情報を受信する受信手段と、
前記受信した画像データに応じた画像を表示させると共に、前記パン角度の変更により撮像範囲が移動する移動方向を示すパンガイドを、前記撮像装置のチルト角度に関する情報に基づいて、前記画像上に表示させる表示制御手段と、
前記チルト角度の変更コマンドを前記撮像装置へ送信する送信手段と、
前記チルト角度の変更コマンドの送信時に、前記チルト角度の変更コマンドに対する応答を前記撮像装置から受信するよりも前に、前記パンガイドの表示を更新する更新手段とを有することを特徴とするカメラシステム。
【手続補正２】
【補正対象書類名】明細書
【補正対象項目名】０００７
【補正方法】変更
【補正の内容】
【０００７】
上記目的を達成するために、本発明の表示制御装置は、例えば、以下の構成を有する。すなわち、パン角度の変更により撮像範囲が移動する移動方向がチルト角度により異なる撮像装置により得られた画像データに応じた画像の表示を制御する表示制御装置であって、前記撮像装置により得られた画像データと、前記撮像装置のチルト角度に関する情報を受信する受信手段と、前記受信した画像データに応じた画像を表示させると共に、前記パン角度の変更により撮像範囲が移動する移動方向を示すパンガイドを、前記撮像装置のチルト角度に関する情報に基づいて、前記画像上に表示させる表示制御手段と、前記チルト角度の変更コマンドを前記撮像装置へ送信する送信手段と、前記チルト角度の変更コマンドの送信時に、前記チルト角度の変更コマンドに対する応答を前記撮像装置から受信するよりも前に前記パンガイドの表示を更新する更新手段とを有する。